(57)【要約】 【課題】  本発明は、画面メモなどに記憶したコンテンツを取得するまでの手順を容易に把握することができる情報処理装置および画面データ表示方法を提供することを目的とする。【解決手段】  ブラウザ１０３は、複数のコンテンツファイルを含んだ、任意のＷｅｂページを取得し、表示する。一方で、記憶部１０６は、Ｗｅｂページ取得までの操作履歴データを記憶する。画面メモデータ記憶時には、記憶部１０５は記憶部１０６に記憶されている操作履歴データとともに複数のコンテンツファイルを含んだＷｅｂページを記憶する。その後、ユーザにより再生指示がなされると、記憶部１０５に記憶されたＷｅｂページおよびそのコンテンツファイルを、ブラウザ１０３は操作履歴にしたがって遷移させながら表示部１０４に表示させる。【選択図】  図１
2010123047.tif 000002
【特許請求の範囲】
【請求項１】
ユーザ操作に従って、複数のコンテンツファイルを含んだ、任意のＷｅｂページを取得するブラウザ手段と、
前記ブラウザ手段により取得されたＷｅｂページを表示する表示手段と、
前記ブラウザ手段により取得されたＷｅｂページおよびユーザ操作の過程を示す操作履歴情報を画面メモデータとして記憶する記憶手段と、
ユーザにより画面メモデータの再生指示がなされると、前記記憶手段に記憶されたＷｅｂページおよび当該Ｗｅｂページに含まれるコンテンツファイルを、前記操作履歴情報にしたがって遷移させながら前記表示手段に表示させる制御手段と
を備える情報処理装置。
【請求項２】
前記制御手段は、
前記Ｗｅｂページまたはコンテンツファイルにおける選択対象項目を示すカーソルの移動遷移を前記表示手段に表示させることを特徴とする請求項１に記載の情報処理装置。
【請求項３】
前記記憶手段は、前記表示手段にＷｅｂページのキャプチャー画面の状態遷移を示す動画データをさらに記憶し、
前記表示手段は、ユーザにより動画データの再生指示がなされると、当該動画データの再生処理を行う
ことを特徴とする請求項１または２に記載の情報処理装置。
【請求項４】
前記制御手段は、前記表示手段に表示されるＷｅｂページの表示遷移速度をユーザ操作により切り替え可能とすることを特徴とする請求項１から３のいずれか１項に記載の情報処理装置。
【請求項５】
前記制御手段は、ユーザ操作により割り込み処理を受けると、当該ユーザ操作による操作を受け付け、
前記ブラウザ手段は、前記受け付けた操作にしたがって、ネットワークを介してＷｅｂページの取得を行うことを特徴とする請求項１から４のいずれか１項に記載の情報処理装置。
【請求項６】
前記制御手段は、ユーザ操作により割り込み処理を受けると、当該ユーザ操作による操作を受け付け、
前記ブラウザ手段は、前記受け付けた操作にしたがって、画面メモデータとして記憶されたコンテンツファイルの取得を行うことを特徴とする請求項１から４のいずれか１項に記載の情報処理装置。
【請求項７】
ユーザ操作に従って、複数のコンテンツファイルを含んだ、任意のＷｅｂページを取得する取得ステップと、
前記取得ステップにおいて取得されたＷｅｂページを表示する表示ステップと、
前記取得ステップにおいて取得されたＷｅｂページおよびユーザ操作の過程を示す操作履歴情報を画面メモデータとして記憶手段が記憶する記憶ステップと、
ユーザにより画面メモデータの再生指示がなされると、前記記憶ステップにおいて記憶されたＷｅｂページおよび当該Ｗｅｂページに含まれるコンテンツファイルを、前記操作履歴にしたがって遷移させながら表示する表示ステップと
を備える画面データ表示方法。
【発明の詳細な説明】
【技術分野】
【０００１】
本発明は、Ｗｅｂページなどのデータを記憶する情報処理装置および画面データ表示方法に関する。
【背景技術】
【０００２】
ネットワークを介して提供されるＷｅｂページのオフライン閲覧を行うことができる情報端末装置が考えられている。例えば、特許文献１には、ネットワークから取得されたＷｅｂページを画面メモ機能により記憶部に記憶させることが記載されている。
【特許文献１】特開２００７−２０６７５７号公報
【発明の開示】
【発明が解決しようとする課題】
【０００３】
一方、Ｗｅｂブラウザが高機能化されたことに伴って、近年のＷｅｂページなどで代表されるインタラクティブコンテンツは、リッチ化（高機能化・複雑化）しており、そのインタラクティブコンテンツに含まれているあるコンテンツに至るまでの過程が複雑である場合が多い。その場合、そのコンテンツを再現することが困難であり、特許文献１に記載されている技術のように、画面メモとしてコンテンツを記憶しておいたとしても、画面メモとして記憶しておいた、インタラクティブな操作を行なう前のコンテンツを閲覧することはできるものの、インタラクティブ操作を行なった後に得られるコンテンツを閲覧することはできない。よって、再度、そのコンテンツを取得する操作を行うことが必要とされるが、上述したとおり、そのコンテンツの取得にいたるまでの操作が複雑化していることから、そのコンテンツを取得することは困難であるといった問題がある。
【０００４】
そこで、上述の課題を解決するために、本発明は、画面メモなどに記憶したコンテンツを取得するまでの手順を容易に把握することができる情報処理装置および画面データ表示方法を提供することを目的とする。
【課題を解決するための手段】
【０００５】
上述の課題を解決するために、本発明の情報処理装置は、ユーザ操作に従って、複数のコンテンツファイルを含んだ、任意のＷｅｂページを取得するブラウザ手段と、前記ブラウザ手段により取得されたＷｅｂページを表示する表示手段と、前記ブラウザ手段により取得されたＷｅｂページおよびユーザ操作の過程を示す操作履歴情報を画面メモデータとして記憶する記憶手段と、ユーザにより画面メモデータの再生指示がなされると、前記記憶手段に記憶されたＷｅｂページおよび当該Ｗｅｂページに含まれるコンテンツファイルを、前記操作履歴情報にしたがって遷移させながら前記表示手段に表示させる制御手段とを備えている。
【０００６】
また、本発明の画面データ表示方法は、ユーザ操作に従って、複数のコンテンツファイルを含んだ、任意のＷｅｂページを取得する取得ステップと、前記取得ステップにおいて取得されたＷｅｂページを表示する表示ステップと、前記取得ステップにおいて取得されたＷｅｂページおよびユーザ操作の過程を示す操作履歴情報を画面メモデータとして記憶手段が記憶する記憶ステップと、ユーザにより画面メモデータの再生指示がなされると、前記記憶ステップにおいて記憶されたＷｅｂページおよび当該Ｗｅｂページに含まれるコンテンツファイルを、前記操作履歴にしたがって遷移させながら表示する表示ステップとを備えている。
【０００７】
この発明によれば、ユーザ操作に従って、複数のコンテンツファイルを含んだ、任意のＷｅｂページを取得し、取得されたＷｅｂページを表示する。そして、取得されたＷｅｂページおよびユーザ操作の過程を示す操作履歴情報を画面メモデータとして記憶する。その後、ユーザにより再生指示がなされると、記憶されたＷｅｂページおよびそのコンテンツファイルを、操作履歴にしたがって遷移させながら表示させる。
【０００８】
これにより、一度閲覧したＷｅｂページの表示遷移状態をユーザは知ることができ、どのような操作をすれば、所望のコンテンツファイルの表示を行うことができるかを把握することができる。よって、使い勝手の良い装置を実現することができる。
【０００９】
また、本発明の情報処理装置において、前記制御手段は、前記Ｗｅｂページまたはコンテンツファイルにおける選択対象項目を示すカーソルの移動遷移を前記表示手段に表示させることが好ましい。
【００１０】
この発明によれば、Ｗｅｂページまたはコンテンツファイルにおける選択対象項目を示すカーソルの移動遷移を表示することができ、一度閲覧したＷｅｂページにおける操作手順を容易に把握することができる。
【００１１】
また、本発明の情報処理装置において、前記記憶手段は、前記表示手段にＷｅｂページのキャプチャー画面の状態遷移を示す動画データをさらに記憶し、前記表示手段は、ユーザにより動画データの再生指示がなされると、当該動画データの再生処理を行うことが好ましい。
【００１２】
この発明によれば、Ｗｅｂページのキャプチャー画面の状態遷移を示す動画データをさらに記憶し、ユーザにより動画データの再生指示がなされると、当該動画データの再生処理を行うことができ、Ｗｅｂページを閲覧したままの画面をユーザは閲覧することができる。よって、より正確な状態遷移を把握することができる。
【００１３】
また、本発明の情報処理装置において、前記制御手段は、前記表示手段に表示されるＷｅｂページの表示遷移速度をユーザ操作により切り替え可能とすることが好ましい。
【００１４】
この発明によれば、表示されるＷｅｂページの表示遷移速度をユーザ操作により切り替え可能とすることで、Ｗｅｂページの再生時における閲覧の操作性を向上させることができる。
【００１５】
また、本発明の情報処理装置において、前記制御手段は、ユーザ操作により割り込み処理を受けると、当該ユーザ操作による操作を受け付け、前記ブラウザ手段は、前記受け付けた操作にしたがってＷｅｂページの取得を行うことが好ましい。
また、本発明の情報処理装置において、前記制御手段は、ユーザ操作により割り込み処理を受けると、当該ユーザ操作による操作を受け付け、前記ブラウザ手段は、前記受け付けた操作にしたがって、画面メモデータとして記憶されたコンテンツファイルの取得を行うことを特徴とする請求項１から４のいずれか１項に記載の情報処理装置。
【００１６】
この発明によれば、ユーザ操作により割り込み処理を受けると、当該ユーザ操作による操作を受け付け、受け付けた操作にしたがってネットワークを介してＷｅｂページの取得または画面メモデータとしてのコンテンツファイルの取得を行うことができ、その操作性を向上させることができる。例えば、以前に閲覧したＷｅｂページにおいて、閲覧時の特定操作の手前で別のコンテンツファイルまたはサイトにアクセスしたい場合でも割り込み処理によりその再生処理を停止させることで、より簡単に別のコンテンツファイルまたはサイトにサクセスすることができる。
【発明の効果】
【００１７】
この発明によれば、一度閲覧したＷｅｂページの表示遷移状態をユーザは知ることができ、どのような操作をすれば、所望のコンテンツファイルの表示を行うことができるかを把握することができる。よって、使い勝手の良い装置を実現することができる。
【発明を実施するための最良の形態】
【００１８】
添付図面を参照しながら本発明の実施形態を説明する。可能な場合には、同一の部分には同一の符号を付して、重複する説明を省略する。
【００１９】
図１は、本実施形態の情報処理装置である携帯電話１００の構成を示すブロック図である。図１に示されるように、携帯電話１００は、制御部１０１、画面メモ処理部１０２、ブラウザ１０３、表示部１０４、記憶部１０５、記憶部１０６、通信制御部１０７、操作部１０８を含んで構成されている。以下、各構成について説明する。
【００２０】
制御部１０１は、携帯電話１００を総括制御する部分であり、操作部１０８から入力に基づいて、画面メモ処理部１０２、ブラウザ１０３を制御する部分である。具体的には、制御部１０１は、ブラウザ１０３に対する操作がなされると、その操作にしたがった制御を行うようブラウザ１０３を制御し、また、操作部１０８から画面メモ処理部１０２において画面メモ機能を実行する旨の指示を受けると、ブラウザ１０３において取得されたＷｅｂページを記憶部１０５に記憶させる。そのほか、制御部１０１は、周期的にブラウザ１０３により取得されたＷｅｂページをキャプチャーして、状態遷移を示す動画データとして記憶部１０６に記憶させ、そのほか、ブラウザ１０３の制御を行う。また、動画データの再生時において、ユーザ操作に従って、早送り、巻き戻し、一次停止などの指示が与えられると、その指示内容に従った処理を実行することができる。
【００２１】
画面メモ処理部１０２は、ブラウザ１０３において取得されたＷｅｂページ、および当該Ｗｅｂページに含まれているコンテンツファイルを、そのファイル形式のまま記憶部１０５に記憶させる処理を行う部分である。この取得されるＷｅｂページは、インタラクティブコンテンツであって、複数のコンテンツファイルが含まれている。より具体的には、Ｗｅｂページは、タグなどで表題のみが表示されるように構成されており、その表題をクリック（選択）すると、予め設定されているコンテンツが読み出され、表示されるように構成されている。例えばポータルサイトにおけるニュースジャンル一覧（トピック、経済などの項目）から任意の項目を選択すると、その項目に対応したコンテンツ（そのジャンルに含まれているニュース一覧）が読み出され表示される。画面メモ処理部１０２は、ＷｅｂページおよびそのＷｅｂページに含まれているコンテンツファイルを取得し、画面メモとして記憶部１０５に記憶させることができる。
【００２２】
ブラウザ１０３は、操作部１０８に対するユーザ操作により、リンク先またはコンテンツファイルなどの選択対象項目を選択可能にそのカーソルを移動させつつ、ユーザにより選択された選択対象項目にしたがって、通信制御部１０７を介して接続されたコンテンツサーバ２００からＷｅｂページを取得し、または、現に閲覧しているＷｅｂページに含まれているコンテンツファイルを取得し、表示部１０４に表示させる部分である。また、操作部１０８におけるユーザ操作により、画面メモデータの表示操作がなされると、ブラウザ１０３は、画面メモデータ、すなわち記憶部１０５に記憶されたＷｅｂページを、操作履歴データに記述されている経過時間で示される時刻情報したがって自動的にＷｅｂページにおけるカーソルまたはコンテンツファイルを可変表示させ、その表示状態を遷移させる。なお、ブラウザ１０３は、操作部１０８からユーザによって割り込み操作がなされると、その割り込み操作をした時点で、表示状態の遷移を停止し、通常のＷｅｂページとして操作可能にユーザから受付けを処理する。
【００２３】
表示部１０４は、ブラウザ１０３により取得されたＷｅｂページ、または記憶された画面メモデータを表示する部分である。
【００２４】
記憶部１０５は、画面メモ処理部１０２により取り込まれたＷｅｂページ（コンテンツファイルを含む）、記憶部１０６において記憶された操作履歴データ、動画像データを記憶する部分である。
【００２５】
図２に、記憶部１０５に記憶されるデータの具体例を示す。図２に示すように、記憶部１０５には、Ｗｅｂページのアクセス先を示すＵＲＬ、画面メモタイトル、記憶日時、Ｗｅｂページを構成するコンテンツファイル（ＨＴＭＬファイル、画像ファイル、フラッシュファイル、スクリプトファイルなど）、操作履歴データ（例えばデータＡ、データＢなど）、Ｗｅｂページをキャプチャーして得られた動画データ、そのほかのデータ（記憶時における電池残量、電波強度、位置情報など）が記憶される。
【００２６】
記憶部１０６は、操作部１０８において操作された操作履歴を示す操作履歴データ、表示部１０４において表示された状態の画面データであって、キャプチャーされた画面データである動画像データを記憶する部分である。図３に、記憶部１０６に記憶されるデータの具体例を示す。図３に示されるように、記憶部１０６は、初期コンテンツ表示からの経過時間（時刻情報）と、操作部１０８からの指示信号・コマンドと、動画データとを対応付けて記憶する。例えば、経過時間は、秒単位で示され、指示信号・コマンドは、十字ボタンを下方向に押下したことを示す“下”、同右方向に押下したことを示す“右”などで示される。さらにポインタの座標を記憶するようにしても良い。
【００２７】
通信制御部１０７は、コンテンツサーバ２００と通信接続する部分である。
【００２８】
操作部１０８は、キーボードなどの操作手段であって、ブラウザ１０３および画面メモ処理部１０２を操作するための部分である。
【００２９】
このように構成された携帯電話１００の動作について説明する。図４は、本実施形態の携帯電話１００の動画データおよび操作履歴データを記憶するときの処理を示すシーケンス図である。
【００３０】
ユーザは、操作部１０８を操作することにより、任意のＷｅｂページを取得するよう操作すると、ブラウザ１０３によりコンテンツサーバ２００に対してアクセスされ（Ｓ１０１）、所望のＷｅｂページが取得される（Ｓ１０２）。そして、ブラウザ１０３により表示部１０４にＷｅｂページが表示される（Ｓ１０３）。ブラウザ１０３において処理されたＷｅｂページは、制御部１０１においてキャプチャー処理され、表示されたままの動画データとして記憶部１０６に記憶される（Ｓ１０４）。なお、このキャプチャー処理は、所定時間ごとに行われ、イメージデータとして記憶されても良いし、操作部１０８において何らかの操作がなされたときに行われるようにしても良い。Ｗｅｂページの表示（Ｓ１０３）後、最初にユーザが操作部１０８を操作するタイミング（Ｓ１０５）からその後の全ての操作を操作履歴として記憶部１０６に記憶する（Ｓ１０６）。図３における処理では、これらＳ１０５からＳ１０６までの操作処理からキャプチャー処理までが繰り返し行われている（Ｓ１０７−Ｓ１１９）。
【００３１】
ユーザは任意のタイミングで、画面メモ操作を行うと、その旨がブラウザ１０３に出力され（Ｓ１２１）、画面メモ処理部１０２によりブラウザ１０３において表示されたＷｅｂページが取得され（Ｓ１２２）、そして、画面メモデータとしてＷｅｂページが記憶部１０５に記憶される（Ｓ１２３）。上述画面メモ機能の指示を行うとともに、記憶部１０６に記憶されている動画データおよび操作履歴データは記憶部１０５に記憶されるよう制御部１０１により処理される（Ｓ１２５）。
【００３２】
以上の処理により、ブラウザ１０３にて取得されたＷｅｂページは、画面メモ機能によりＷｅｂページを記憶するとともに、そのＷｅｂページがキャプチャーされた動画データを記憶することができる。さらに、操作履歴データをその操作が行われるたびに、動画データとともに記憶することができる。
【００３３】
つぎに、画面メモデータの記憶処理を行った後に、さらにコンテンツの操作・要求を行った場合の処理について説明する。図５は、そのときに携帯電話１００の処理を示すシーケンス図である。
【００３４】
Ｓ２０１からＳ２１６までは、コンテンツの操作・要求を行うとともに、操作履歴データを記憶部１０６に記憶させ、コンテンツの表示を行う処理であり、図４におけるＳ１０１からＳ１１９と同様の処理である。
【００３５】
そして、任意のタイミングでユーザにより画面メモデータの記憶操作が行われると、その旨の指示がブラウザ１０３に出力される（Ｓ２１７）。ブラウザ１０３により、画面メモデータとしてＷｅｂページの記憶処理を行うよう、画面メモ処理部１０２に指示が出力され（Ｓ２１８）、記憶部１０５にブラウザ１０３で表示されているＷｅｂページの記憶処理が行われることで画面メモデータの記憶処理が行われる（Ｓ２１９）。
【００３６】
操作部１０８による画面メモデータの記憶操作に伴って（Ｓ２２０）、Ｓ１０４から記憶部１０６に記憶し続けている動画データと、Ｓ１０６から記憶部１０６に記憶し続けている操作履歴データとは、記憶部１０５にコピーされる（Ｓ２２１）。
【００３７】
図５の例では、さらに、ユーザにより操作が行われる。ここでは、ユーザがブックマークを選択またはＵＲＬを入力することにより、全く別のコンテンツを閲覧しようとしている。すなわち、操作部１０８をユーザが操作し、新たなＷｅｂページの要求をすると（Ｓ２３１）、記憶部１０６に記憶されている操作履歴データおよび動画データを削除する旨の処理が行われる（Ｓ２３２）。ここでは、全く別のＷｅｂページとは、全く別のＵＲＬへのアクセスなど、ルートコンテンツの書き換えなどのページ遷移を伴うＷｅｂページである。
【００３８】
つぎに、このように動画データ、操作履歴データおよび画面メモデータが記憶された携帯電話１００において、動画データまたは画面メモデータを再生するときの処理について説明する。図６は、動画データまたは画面メモデータにしたがって自動再生するときの処理を示すフローチャートである。
【００３９】
まず、操作部１０８をユーザが操作することによって、動画データを再生するか、画面メモデータを表示するかを選択する（Ｓ３０１）。ここで、画面メモデータを再生するとの操作がなされたと判断されると、ブラウザ１０３により記憶部１０５から画面メモデータが読み出され、画面メモデータとして読み出されたユーザがインタラクティブ操作を行なう前のＷｅｂページが初期コンテンツとして表示部１０４に表示される（Ｓ３０２）。
【００４０】
この初期コンテンツとして表示されたＷｅｂページに対して、自動再生を行うとの指示がなされると（Ｓ３０３：ＹＥＳ）、記憶部１０６に記憶されている操作履歴データにしたがって、Ｗｅｂページは順次その表示される内容を切り換えて表示される（Ｓ３０４）。すなわち、記憶部１０５から操作履歴データが読み出され、この操作履歴データにしたがって、画面メモ記憶時と同じタイミングでブラウザがコンテンツファイルを取得することで、画面メモ記憶時と同様にＷｅｂページの自動再生が行われる。
【００４１】
自動再生中に、ユーザにより自動再生に対する割り込み処理の操作がなされると（Ｓ３０５）、ブラウザにおいては、操作履歴データに従ったコンテンツファイルの取得処理が停止することにより自動再生が停止され、自動再生途中からＷｅｂページの操作が可能となる（Ｓ３０６）。そして、ユーザ操作によりＷｅｂページの操作が行われる（Ｓ３０７）。ここでは、画面メモとして記憶したＷｅｂページに含まれているコンテンツファイルの取得や、必要に応じてネットワークに対して接続処理を行い、コンテンツサーバから所望のＷｅｂページ、コンテンツファイルなどを取得することもできる。
【００４２】
また、Ｓ３０３において、Ｗｅｂページ（コンテンツファイル）の自動再生をしないと判断されると（Ｓ３０３）、ユーザによりＷｅｂページの操作が可能となる（Ｓ３０９）。なお、Ｓ３０３における自動再生中に、ユーザ操作により、一時停止、早送り、巻き戻し、倍速表示などの選択を受付け可能とし、その選択に応じた表示がなされるようにしてもよい。
【００４３】
また、Ｓ３０６において、自動再生の割り込みが行われないと、画面メモデータ記憶時までのＷｅｂページ表示の遷移が自動的に実行される（Ｓ３１０）。最後まで自動再生が行われると、ユーザによるＷｅｂページの操作が可能な状態となる（Ｓ３０７）。
【００４４】
また、Ｓ３０１において、動画データの表示がユーザにより選択されると、記憶部１０５から動画データが読み出され、表示部１０４に動画データが表示される（Ｓ３１１）。動画データの自動再生中に、ユーザ操作により、一時停止、早送り、巻き戻し、倍速表示などが選択されると（Ｓ３１２）、その選択に応じて表示がなされる（Ｓ３１３）。
【００４５】
つぎに、上述のコンテンツの自動再生の画面例について説明する。図７は、表示部１０４に表示される画面メモデータとして記憶されたＷｅｂページの表示遷移を示す説明図である。図７（ａ）は、画面メモデータとして記憶されたＷｅｂページが読み出され、インタラクティブコンテンツとしての初期表示状態を示す図である。なお、画面の具体例は省略している。表示部１０４における画面の下部には、“サブメニュー”ボタン、“決定”ボタンが表示されており、本実施形態の携帯電話の操作ボタンに対応した表示がなされている。
【００４６】
図７（ｂ）は、ユーザにより所定の操作がなされることにより表示されるサブメニュー画面であって、画面メモデータの自動再生が選択可能に表示されている。そのほか、ブックマーク登録、削除などの指示、スクリーンキャプチャした動画データの再生への切換指示などを行うことができるように、選択対象項目が表示されている。ユーザはこれら表示された選択対象項目を選択することにより、選択した表示処理を行うことができる。
【００４７】
図７（ｃ）〜（ｆ）は、自動再生されたＷｅｂページの表示画面の状態遷移を示す説明図である。この図７（ｃ）〜（ｆ）における表示画面には、ニュースを表示するためのＷｅｂページが表示されており、このＷｅｂページには、リンクａ、リンクｂ、コンテンツａ、コンテンツｂ、画像データ、および次のページに移行するための“次のページ”が含まれている。リンクａ、リンクｂには、ＵＲＬが貼り付けられており、このリンクａ、リンクｂを選択することにより、他のサイトに移行するように構成されている。また、コンテンツａ、コンテンツｂには、具体的なコンテンツファイル（例えば、画像データファイル、文章データファイル）と連携がとられており、予めこの画面メモデータと対応付けて記憶されたコンテンツファイルとが対応付けられている。そして、それぞれのコンテンツを選択することにより、対応付けられたコンテンツファイルが読み出され、表示される。また、画像データは、例えばＪＰＥＧデータで構成されており、このＪＰＥＧデータを選択することにより、拡大した表示が行われる。
【００４８】
図７（ｃ）から図７（ｆ）では、ユーザはニュースのトップページを閲覧しながら、リンクａから順次ボタンａ、ボタンｂ、および画像データにその操作対象項目を選択するためのカーソルが移動している様子が示されている。
【００４９】
図７（ｃ）から図７（ｆ）の間では、ユーザ操作により任意に割り込みをかけることができ、その割り込みを掛けた時点でのページの状態に応じてユーザが手動により操作を行うことができる。例えば、図７（ｄ）で割り込みを掛けた場合には、コンテンツａからコンテンツｂにそのカーソルが移ることなく、コンテンツａが選択状態となる表示状態で停止され、以降、ユーザにより操作可能となる。
【００５０】
つぎに、本実施形態の携帯電話１００の作用効果について説明する。本実施形態の携帯電話１００において、操作部１０８をユーザが操作することにより、ブラウザ１０３は、複数のコンテンツファイルを含んだ、任意のＷｅｂページを取得する。そして、表示部１０４は、取得されたＷｅｂページを表示する。記憶部１０６は、操作部１０８において操作された、Ｗｅｂページ取得までの操作履歴データを操作入力が行われるたびに記憶する。画面メモデータ記憶時には、記憶部１０５は、記憶部１０６に記憶されている操作履歴データとともに、複数のコンテンツファイルを含んだＷｅｂページを記憶する。
【００５１】
その後、操作部１０８が操作されることでユーザにより再生指示がなされると、記憶部１０５に記憶されたＷｅｂページおよびそのコンテンツファイルを、ブラウザ１０３は操作履歴にしたがって遷移させながら表示部１０４に表示させる。
【００５２】
これにより、一度閲覧したＷｅｂページの表示遷移状態をユーザは知ることができ、どのような操作をすれば、所望のコンテンツファイルの表示を行うことができるかを把握することができる。よって、使い勝手の良い装置を実現することができる。
【００５３】
また、本実施形態の携帯電話１００において、ブラウザ１０３は、表示部１０４に、Ｗｅｂページまたはコンテンツファイルにおける選択対象項目を示すカーソルの移動遷移を表示することができ、一度閲覧したＷｅｂページにおける操作手順を容易に把握することができる。
【００５４】
また、本実施形態の携帯電話１００において、記憶部１０５は、Ｗｅｂページのキャプチャー画面の状態遷移を示す動画データをさらに記憶し、ユーザにより動画データの再生指示がなされると、表示部１０４は、当該動画データの再生処理を行うことができ、Ｗｅｂページを閲覧したままの画面をユーザは閲覧することができる。よって、より正確な状態遷移を把握することができる。
【００５５】
また、本実施形態の携帯電話１００において、ユーザによる操作部１０８に対する操作にしたがって、表示部１０４は、表示されるＷｅｂページの表示遷移速度を切り替え可能とすることで、Ｗｅｂページの再生時における閲覧の操作性を向上させることができる。
【００５６】
また、本実施形態の携帯電話１００において、操作部１０８を操作することで割り込み処理がなされると、当該ユーザ操作による操作部１０８からの操作を受け付けることができる。そして、受け付けた操作にしたがってブラウザ１０３は、Ｗｅｂページの取得、例えば通信制御部１０７を介してコンテンツサーバ２００から所望のＷｅｂページの取得や、Ｗｅｂページに含まれているコンテンツファイルの取得を行うことができ、その操作性を向上させることができる。例えば、以前に閲覧したＷｅｂページの手前で、別のコンテンツファイルまたはサイトにアクセスしたい場合でも割り込み処理によりその再生処理を停止させることで、より簡単に別のコンテンツファイルまたはサイトにサクセスすることができる。
【図面の簡単な説明】
【００５７】
【図１】本実施形態の情報処理装置である携帯電話１００の構成を示すブロック図である。
【図２】記憶部１０５に記憶されるデータの具体例を示す図である。
【図３】記憶部１０６に記憶されるデータの具体例を示す図である。
【図４】動画データおよび操作履歴データを記憶するときの処理を示すシーケンス図である。
【図５】画面メモデータの記憶処理を行った後に、さらにコンテンツの操作・要求を行った場合の処理を示すシーケンス図である。
【図６】動画データまたは画面メモデータにしたがって自動再生するときの処理を示すフローチャートである。
【図７】Ｗｅｂページの表示遷移を示す説明図である。
【符号の説明】
【００５８】
１００…携帯電話、１０１…制御部、１０２…画面メモ処理部、１０３…ブラウザ、１０４…表示部、１０５…記憶部、１０６…記憶部、１０７…通信制御部、１０８…操作部、２００…コンテンツサーバ。
【図１】
2010123047.tif 000003
【図２】
2010123047.tif 000004
【図３】
2010123047.tif 000005
【図４】
2010123047.tif 000006
【図５】
2010123047.tif 000007
【図６】
2010123047.tif 000008
【図７】
2010123047.tif 000009